(57)【要約】【課題】赤熱コークスの消火車積載範囲がコークス消火塔の消火水散水範囲より広い場合でもコークス消火車に積載された全ての赤熱コークスを確実に消火することのできる赤熱コークスの消火方法を提供する。【解決手段】コークス消火車１３に積載された赤熱コークス１２の中央部がコークス消火塔１４の消火水散水範囲Ｗ２の中央部と一致する位置を第１の消火車停止位置Ｐ１、赤熱コークス１２のコークス炉側端部が消火水散水範囲Ｗ２のコークス炉側端部と一致する位置を第２の消火車停止位置Ｐ２、赤熱コークス１２のコークス炉側端部と反対側の端部が消火水散水範囲Ｗ２のコークス炉側端部と反対側の端部と一致する位置を第３の消火車停止位置Ｐ３としたとき、コークス消火車１３を第２の消火車停止位置Ｐ２、第１の消火車停止位置Ｐ１および第３の消火車停止位置Ｐ３で順次停止させて消火水をコークス消火車１３に散水する。【選択図】図２
2011079928.tif 000002
【特許請求の範囲】
【請求項１】
コークス炉から窯出しされた赤熱コークスを積載したコークス消火車を走行させて前記赤熱コークスをコークス消火塔内に輸送した後、前記赤熱コークスを積載したコークス消火車に消火水を散水して前記赤熱コークスを消火する赤熱コークスの消火方法であって、前記コークス消火車に積載された赤熱コークスの中央部が前記コークス消火塔の消火水散水範囲の中央部と一致する位置を第１の消火車停止位置、前記コークス消火車に積載された赤熱コークスのコークス炉側端部が前記消火水散水範囲のコークス炉側端部と一致する位置を第２の消火車停止位置、前記赤熱コークスのコークス炉側端部と反対側の端部が前記消火水散水範囲のコークス炉側端部と反対側の端部と一致する位置を第３の消火車停止位置としたとき、前記コークス消火車を前記第１の消火車停止位置、前記第２の消火車停止位置および前記第３の消火車停止位置で停止させて前記消火水を前記コークス消火車に散水することを特徴とする赤熱コークスの消火方法。
【請求項２】
請求項１記載の赤熱コークスの消火方法において、前記コークス消火車を前記第２の消火車停止位置、前記第１の消火車停止位置および前記第３の消火車停止位置で順次停止させて前記消火水を前記コークス消火車に散水することを特徴とする赤熱コークスの消火方法。
【発明の詳細な説明】
【技術分野】
【０００１】
本発明は、コークス炉から窯出しされた赤熱コークスを消火する方法に関する。
【背景技術】
【０００２】
コークス炉から窯出しされた赤熱コークスを消火する方法としては湿式で消火する方法と乾式で消火する方法とがあり、前者の方法で赤熱コークスを消火する場合には、コークス炉から窯出しされた赤熱コークスをコークス消火車に積載し、赤熱コークスを積載したコークス消火車を走行させて赤熱コークスをコークス消火塔内に輸送した後、コークス消火車に消火水を散水して赤熱コークスを消火している。
【０００３】
ところで、コークス炉から窯出しされた赤熱コークスを湿式で消火するに当り、種々の方法が提案されている。たとえば、赤熱コークスの消火前温度を測定し、その測定値に基づいて消火水の散水量や散水時間を消火後のコークス水分が一定となるように調節する方法（特許文献１〜５参照）、消火後のコークス温度分布と消火電車内層高分布を測定し、その測定値に基づいて消火水の散水条件を調節する方法（特許文献６参照）、貯骸コークス温度の平均値と最高値を火残り限界温度と比較して消火水の散水量を調節する方法（特許文献７参照）などが提案されている。
【先行技術文献】
【特許文献】
【０００４】
【特許文献１】特開昭６２−１７７０８８号公報
【特許文献２】特開昭６０−１７３０８７号公報
【特許文献３】特開昭６０−１６８７８６号公報
【特許文献４】特開昭６０−１６８７８５号公報
【特許文献５】特開平１０−２５１６５１号公報
【特許文献６】特開２００６−２４１３７０号公報
【特許文献７】特開平０５−３２０６５６号公報
【発明の概要】
【発明が解決しようとする課題】
【０００５】
特許文献１〜７に開示された方法によると、赤熱コークスを消火して得られる製品コークスの含有水分量を一定の水分量とすることが可能であるが、次のような問題点を有していた。すなわち、図３（ａ）に示すように、赤熱コークス１２の消火車積載範囲Ｗ１がコークス消火塔１４の消火水散水範囲Ｗ２よりも狭い場合には赤熱コークス１２を積載したコークス消火車１３に消火水を赤熱コークス１２の消火車積載範囲Ｗ１の全体にわたり散水できるが、図３（ｂ）に示すように、赤熱コークス１２の消火車積載範囲Ｗ１がコークス消火塔１４の消火水散水範囲Ｗ２より広い場合には赤熱コークス１２を積載したコークス消火車１３に消火水を消火車積載範囲Ｗ１の全体にわたり散水することができないため、コークス消火車１３に積載された全ての赤熱コークス１２を確実に消火することができないという問題があった。
本発明は上述した問題点に鑑みてなされたものであり、赤熱コークスの消火車積載範囲がコークス消火塔の消火水散水範囲より広い場合でもコークス消火車に積載された全ての赤熱コークスを確実に消火することのできる赤熱コークスの消火方法を提供することを目的とするものである。
【課題を解決するための手段】
【０００６】
上記課題を解決するために、請求項１の発明は、コークス炉から窯出しされた赤熱コークスを積載したコークス消火車を走行させて前記赤熱コークスをコークス消火塔内に輸送した後、前記赤熱コークスを積載したコークス消火車に消火水を散水して前記赤熱コークスを消火する赤熱コークスの消火方法であって、前記コークス消火車に積載された赤熱コークスの中央部が前記コークス消火塔の消火水散水範囲の中央部と一致する位置を第１の消火車停止位置、前記コークス消火車に積載された赤熱コークスのコークス炉側端部が前記消火水散水範囲のコークス炉側端部と一致する位置を第２の消火車停止位置、前記コークス消火車に積載された赤熱コークスのコークス炉側端部と反対側の端部が前記消火水散水範囲のコークス炉側端部と反対側の端部と一致する位置を第３の消火車停止位置としたとき、前記コークス消火車を前記第１の消火車停止位置、前記第２の消火車停止位置および前記第３の消火車停止位置で停止させて前記消火水を前記コークス消火車に散水することを特徴とするものである。
請求項２の発明は、請求項１記載の赤熱コークスの消火方法において、前記コークス消火車を前記第２の消火車停止位置、前記第１の消火車停止位置および前記第３の消火車停止位置で順次停止させて前記消火水を前記コークス消火車に散水することを特徴とするものである。
【発明の効果】
【０００７】
請求項１の発明に係る赤熱コークスの消火方法によれば、赤熱コークスを積載したコークス消火車に消火水が赤熱コークスの消火車積載範囲の全体にわたって散水されるので、赤熱コークスの消火車積載範囲がコークス消火塔の消火水散水範囲より広い場合でもコークス消火車に積載された全ての赤熱コークスを確実に消火することができる。
請求項２の発明に係る赤熱コークスの消火方法によれば、赤熱コークスの消火車積載範囲がコークス消火塔の消火水散水範囲より広い場合でもコークス消火車に積載された全ての赤熱コークスを確実に消火することができるとともに、コークス消火塔内の消火車軌条が消火水によって濡れていてもコークス消火車にスリップが発生し難くなるので、コークス消火塔内の消火車軌条がコークス炉から遠ざかる方向に昇り勾配となっている場合でもコークス消火車に積載された全ての赤熱コークスを確実に消火することができる。
【図面の簡単な説明】
【０００８】
【図１】本発明の第１の実施形態に係る赤熱コークスの消火方法を説明するための図である。
【図２】本発明の第２の実施形態に係る赤熱コークスの消火方法を説明するための図である。
【図３】本発明が解決しようとする課題を説明するための図である。
【発明を実施するための形態】
【０００９】
以下、図面を参照して本発明の実施形態について説明する。
（第１の実施形態）
図１は、本発明の第１の実施形態に係る赤熱コークスの消火方法を説明するための図である。本発明の第１の実施形態に係る赤熱コークスの消火方法は、図１（ａ）に示すように、コークス炉１１から窯出しされた赤熱コークス１２をコークス消火車１３に積載した後、コークス消火車１３を走行させて赤熱コークス１２をコークス消火塔１４内に輸送する。
【００１０】
ここまでは、前述した従来方法と同じであるが、本実施形態では、次に、コークス消火車１３を図１（ｂ）に示す第１の消火車停止位置Ｐ１で停止させる。この第１の消火車停止位置Ｐ１はコークス消火車１３に積載された赤熱コークス１２の中央部がコークス消火塔１４の消火水散水範囲Ｗ２の中央部と一致する位置であり、コークス消火車１３を第１の消火車停止位置Ｐ１で停止させたならば、赤熱コークス１２を積載したコークス消火車１３に消火水をコークス消火塔１４の消火水散水範囲Ｗ２で予め定めた時間だけ散水する。
【００１１】
赤熱コークス１２を積載したコークス消火車１３に消火水を第１の消火車停止位置Ｐ１で散水したならば、次に、コークス消火車１３を走行させて図１（ｃ）に示す第２の消火車停止位置Ｐ２で停止させる。この第２の消火車停止位置Ｐ２はコークス消火車１３に積載された赤熱コークス１２のコークス炉側端部が消火水散水範囲Ｗ２のコークス炉側端部と一致する位置であり、コークス消火車１３を第２の消火車停止位置Ｐ２で停止させたならば、赤熱コークス１２を積載したコークス消火車１３に消火水をコークス消火塔１４の消火水散水範囲Ｗ２で予め定めた時間だけ散水する。
【００１２】
赤熱コークス１２を積載したコークス消火車１３に消火水を第２の消火車停止位置Ｐ２で散水したならば、次に、コークス消火車１３を走行させて図１（ｄ）に示す第３の消火車停止位置Ｐ３で停止させる。この第３の消火車停止位置Ｐ３はコークス消火車１３に積載された赤熱コークス１２のコークス炉側端部と反対側の端部（以下「反コークス炉側端部」という。）が消火水散水範囲Ｗ２のコークス炉側端部と反対側の端部と一致する位置であり、コークス消火車１３を第３の消火車停止位置Ｐ３で停止させたならば、赤熱コークス１２を積載したコークス消火車１３に消火水をコークス消火塔１４の消火水散水範囲Ｗ２で予め定めた時間だけ散水する。
【００１３】
上述のように、コークス炉１１から窯出しされた赤熱コークス１２を積載したコークス消火車１３を走行させて赤熱コークス１２をコークス消火塔１４内に輸送した後、赤熱コークス１２を積載したコークス消火車１３に消火水を散水して赤熱コークス１２を消火するに際して、コークス消火車１３を第１の消火車停止位置Ｐ１、第２の消火車停止位置Ｐ２および第３の消火車停止位置Ｐ３で停止させて消火水をコークス消火車１３に散水すると、赤熱コークス１２を積載したコークス消火車１３に消火水が赤熱コークス１２の消火車積載範囲Ｗ１の全体にわたって散水される。したがって、上述した本発明の第１の実施形態では、赤熱コークス１２の消火車積載範囲Ｗ１がコークス消火塔１４の消火水散水範囲Ｗ２より広い場合でもコークス消火車１３に積載された全ての赤熱コークス１２を確実に消火することができる。
【００１４】
（第２の実施形態）
図２は、本発明の第２の実施形態に係る赤熱コークスの消火方法を説明するための図である。本発明の第２の実施形態に係る赤熱コークスの消火方法は、図２（ａ）に示すように、コークス炉１１から窯出しされた赤熱コークス１２をコークス消火車１３に積載した後、コークス消火車１３を走行させて赤熱コークス１２をコークス消火塔１４内に輸送する。
【００１５】
ここまでは、上述した第１の実施形態と同じであるが、本実施形態では、次に、コークス消火車１３を走行させて図２（ｂ）に示す第２の消火車停止位置Ｐ２で停止させる。この第２の消火車停止位置Ｐ２はコークス消火車１３に積載された赤熱コークス１２のコークス炉側端部が消火水散水範囲Ｗ２のコークス炉側端部と一致する位置であり、コークス消火車１３を第２の消火車停止位置Ｐ２で停止させたならば、赤熱コークス１２を積載したコークス消火車１３に消火水をコークス消火塔１４の消火水散水範囲Ｗ２で予め定めた時間だけ散水する。
【００１６】
赤熱コークス１２を積載したコークス消火車１３に消火水を第２の消火車停止位置Ｐ２で散水したならば、次に、コークス消火車１３を走行させて図２（ｃ）に示す第１の消火車停止位置Ｐ１で停止させる。この第１の消火車停止位置Ｐ１はコークス消火車１３に積載された赤熱コークス１２の中央部がコークス消火塔１４の消火水散水範囲Ｗ２の中央部と一致する位置であり、コークス消火車１３を第１の消火車停止位置Ｐ１で停止させたならば、赤熱コークス１２を積載したコークス消火車１３に消火水をコークス消火塔１４の消火水散水範囲Ｗ２で予め定めた時間だけ散水する。
【００１７】
赤熱コークス１２を積載したコークス消火車１３に消火水を第１の消火車停止位置Ｐ１で散水したならば、次に、コークス消火車１３を走行させて図２（ｄ）に示す第３の消火車停止位置Ｐ３で停止させる。この第３の消火車停止位置Ｐ３はコークス消火車１３に積載された赤熱コークス１２のコークス炉側端部と反対側の端部（以下「反コークス炉側端部」という。）が消火水散水範囲Ｗ２のコークス炉側端部と反対側の端部と一致する位置であり、コークス消火車１３を第３の消火車停止位置Ｐ３で停止させたならば、赤熱コークス１２を積載したコークス消火車１３に消火水をコークス消火塔１４の消火水散水範囲Ｗ２で予め定めた時間だけ散水する。
【００１８】
上述のように、コークス炉１１から窯出しされた赤熱コークス１２を積載したコークス消火車１３を走行させて赤熱コークス１２をコークス消火塔１４内に輸送した後、赤熱コークス１２を積載したコークス消火車１３に消火水を散水して赤熱コークス１２を消火するに際して、コークス消火車１３を第２の消火車停止位置Ｐ２、第１の消火車停止位置Ｐ１および第３の消火車停止位置Ｐ３で順次停止させて消火水をコークス消火車１３に散水すると、第１の実施形態と同様に、赤熱コークス１２を積載したコークス消火車１３に消火水が赤熱コークス１２の消火車積載範囲Ｗ１の全体にわたって散水される。したがって、上述した本発明の第１の実施形態では、赤熱コークス１２の消火車積載範囲Ｗ１がコークス消火塔１４の消火水散水範囲Ｗ２より広い場合でもコークス消火車１３に積載された全ての赤熱コークス１２を確実に消火することができる。
【００１９】
ところで、コークス消火車１３が走行する消火車軌条１５（図２参照）は、コークス消火塔１４の内部でコークス炉１１から遠ざかる方向に昇り勾配となっている場合が多い。このため、コークス消火塔１４内の消火車軌条１５が消火水によって濡れているとコークス消火車１３にスリップが生じやすくなり、コークス消火車１３にスリップが生じると前述した消火車停止位置Ｐ１，Ｐ２，Ｐ３で消火水をコークス消火車１３に散水することが困難になるため、コークス消火車１３に積載された赤熱コークス１２が未消火の状態で残り、消火水を再度散水しなければならなくなったり、万が一、未消火コークスが排骸された場合、下流のベルトコンベアが焼損する可能性がある。
【００２０】
これに対して、本発明の第２の実施形態では、コークス消火車１３を第２の消火車停止位置Ｐ２、第１の消火車停止位置Ｐ１および第３の消火車停止位置Ｐ３で順次停止させて消火水をコークス消火車１３に散水することで、消火水散水時のコークス消火車１３の走行方向がコークス炉１１に近づく走行方向となり、下り勾配となるため、コークス消火塔１４内の消火車軌条１５が消火水によって濡れていてもコークス消火車１３にスリップが発生し難くなる。したがって、コークス消火塔１４内の消火車軌条１５がコークス炉１１から遠ざかる方向に昇り勾配となっている場合でもコークス消火車１３に積載された全ての赤熱コークス１２を確実に消火することができる。
【符号の説明】
【００２１】
１１…コークス炉、１２…赤熱コークス、１３…コークス消火車、１４…コークス消火塔、１５…消火車軌条、Ｗ１…赤熱コークスの消火車積載範囲、Ｗ２…コークス消火塔の消火水散水範囲、Ｐ１…第１の消火車停止位置、Ｐ２…第２の消火車停止位置、Ｐ３…第３の消火車停止位置。
【図１】
2011079928.tif 000003
【図２】
2011079928.tif 000004
【図３】
2011079928.tif 000005